(57)【要約】【課題】  本発明は、従来の洗顔用パフの更なる改良をもたらしたものであり、泡立ちの極めて優れた洗顔用パフを提供するものである。【解決手段】本発明は、スポンジ芯材の一部または全部を繊維素材にて被包してなる洗顔用パフにおいて、当該スポンジ芯材に孔を形成し、内部に空気層を存在させたことを特徴とする洗顔用パフにかかるものである。そして、好ましくは、スポンジ芯材は、製造時にできるセル膜を、爆発法などで除去した軟質ウレタンフォームである。【選択図】図1
2012090781.tif 000002
【特許請求の範囲】
【請求項１】
スポンジ芯材の一部または全部を繊維素材にて被包してなる洗顔用パフにおいて、当該スポンジ芯材に孔を形成し、内部に空気層を存在させたことを特徴とする洗顔用パフ。
【請求項２】
孔はスポンジ芯材を貫通する孔である請求項１記載の洗顔用パフ。
【請求項３】
孔はスポンジ芯材内に留まる孔である請求項１記載の洗顔用パフ。
【請求項４】
スポンジ芯材に一つ又は複数個の孔を形成した請求項１乃至３いずれか１に記載の洗顔用パフ。
【請求項５】
スポンジ芯材は、軟質ウレタンフォームである請求項１乃至４いずれか１に記載の洗顔用パフ。
【請求項６】
軟質ウレタンフォーム材のセル数が１０〜６０個／インチである請求項５記載の洗顔用パフ。
【請求項７】
スポンジ芯材は、製造時にできるセル膜を除去した軟質ウレタンフォームである請求項５又は６記載の洗顔用パフ。
【請求項８】
軟質ウレタンフォーム材が複数層積層された請求項１記載の洗顔用パフ。
【請求項９】
繊維素材が軟質ウレタンフォーム材の片面を被包した請求項１記載の洗顔用パフ。
【請求項１０】
繊維素材が軟質ウレタンフォーム材の両面を被包した請求項１記載の洗顔用パフ。
【発明の詳細な説明】
【技術分野】
【０００１】
本発明は化粧落しや洗顔時に用いるパフ（以下、洗顔用パフという）に関する。
【背景技術】
【０００２】
従来から用いられている洗顔用パフは、主としてスポンジ芯材を、布等の繊維素材で被覆した全体に偏平な例えば楕円形状としているのが通常である。かかる洗顔用パフは、化粧、汚れ、垢、脂肪分等を落とすことが主であり、肌に与える影響を考慮して種々の繊維素材が提案されている。
【０００３】
繊維素材が肌に与える影響を考慮したものとして特許文献１がある。これは皮膚の表面から美容に害のある脂肪分、老廃物を取り除くことができ、肌に悪影響のない抗菌性、抗カビ性、防臭性を有する洗顔用パフを提供するものであり、スポンジ芯材を覆う繊維素材を繊維表面に脱アセチル化キチンとセリシンとからなる複合体を固着してなる繊維のループパイル加工生地で形成したものである。
【０００４】
上記繊維素材の採用は、吸水性、乾燥性にすぐれ、かびに対する抵抗性もあり、耐酸性、耐アルカリ性、耐酸化剤、耐還元剤及び耐有機溶剤等の性質を有するため、長期間使用しても化粧品及び洗顔料等によりその影響を受けず、肌にもその影響を与えないこと等の結果に基づくものである。
【０００５】
特許文献２は、垢等の表面の汚れや、毛穴の深部に詰まりニキビの原因になったりする脂肪分や老廃物を更に効果的に取り除き、顔の美容と健康を更に増進することを狙ったものであり、繊維素材としてニットのパイル編み生地であり、パイル部分には１０〜９０％のマイクロファイバ−と他のスパン糸９０〜１０％とからなる交編或いは交撚生地であることを特徴とするものである。
【０００６】
一方、これらの繊維素材にて包まれるスポンジ芯材は、通常軟質ウレタンフォーム材が用いられ、泡立て効果が要求されるが、特にその形状・構造は問われないのが一的であった。
【先行技術文献】
【特許文献】
【０００７】
【特許文献１】特開２００２−１４２８５７号公報
【０００８】
【特許文献２】特開２００５−１６８７５１号公報
【発明の概要】
【発明が解決しようとする課題】
【０００９】
本発明は、従来の洗顔用パフの更なる改良をもたらしたものであり、泡立ちの極めて優れた洗顔用パフを提供するものである。
【課題を解決するための手段】
【００１０】
本発明の要旨は、スポンジ芯材の一部または全部を繊維素材にて被包してなる洗顔用パフにおいて、当該スポンジ芯材に孔を形成し、内部に空気層を存在させたことを特徴とする洗顔用パフにかかるものである。そして、好ましくは、スポンジ芯材は、製造時にできるセル膜を、爆発法などで除去した軟質ウレタンフォームからなるものである。
【発明の効果】
【００１１】
本発明は以上の通りであり、かかる洗顔用パフを用いて洗剤をあわ立てる際、スポンジ芯材の内部に形成した孔内に空気が入っているため、これが押し出されて洗剤に作用し、泡立て効果が著しく改善されたものとなったのである。
【図面の簡単な説明】
【００１２】
【図１】図１は、本発明の洗顔用パフの第１例を示す断面図である。
【図２】図２は、本発明の洗顔用パフの第２例を示す断面図である。
【図３】図３は、本発明の洗顔用パフの第３例を示すスポンジ芯材のみを取り出した断面図である。
【図４】図４は、本発明の洗顔用パフの第４例を示すスポンジ芯材のみを取り出した断面図である。
【図５】図５は、本発明の洗顔用パフの第５例を示す断面図である。
【発明を実施するための形態】
【００１３】
本発明の洗顔用パフの基本構造は、繊維素材がスポンジ芯材の片面又はその両面を被包した構造となっているもので、前者にあっては、スポンジ芯材の性質を利用して洗顔することも可能としたものである。
【００１４】
繊維素材としては、特に限定されるものではなく、従来より用いられている素材をそのまま用いることができる。
【００１５】
さて、本発明の特徴は、スポンジ芯材にあり、そのスポンジ芯材に一つ又は複数の孔を形成しておき、使用時に孔内部に空気層を存在させたものである。このため、繊維素材上に振りまけられた洗剤を泡立てるに際し、スポンジ芯材の内部から多量の空気が混ざり合うこととなり、極めて効果的に泡立てすることができることとなったものである。
【００１６】
スポンジ芯材は、通常は軟質ウレタンフォーム材が用いられ、発泡時に形成されるセル膜を除去して三次元網状構造としたもので、泡立て効果に優れたものである。そして、セル数は１０〜６０個／インチ程度のものがよく、泡立ちを良好にするため、セル数の異なる複数枚の軟質ウレタンフォームを重ね合わせて用いることも可能である。
【００１７】
さて、スポンジ芯材に形成する孔については、特に限定するものではないが、通常は直径５〜２５ｍｍ程度の孔でよく、貫通孔としても内部に留まる孔としても良い。勿論、孔は一つ又は複数孔穿っておくのが良い。貫通する孔はプレス機にて極めて容易に加工できる。
【実施例】
【００１８】
以下、図示の実施例について本発明を詳細に説明する。図１は本発明の第１実施例を示す洗顔用パフの断面図である。図において、符号１０は洗顔用パフを示し、セル膜を除去した一枚の軟質ウレタンフォーム芯材１と、この芯材１を包んだパイル編み繊維素材２とからなり、この例では、偏平で平面視で楕円形をなしている。勿論、形状は特に限定されないことは当然である。尚、芯材１の軟質ウレタンフォームのセル数は２５±３個／インチのものを用いた。
【００１９】
パイル編み繊維素材２は、マイクロファイバ−（ポリエステル繊維）３０％と、通常のポリエステル繊維７０％を用いたループパイル加工生地である。
【００２０】
さて、芯材１には、上下方向に直径１ｃｍの貫通孔３Ａを３個形成したものである。従って、通常の状態ではこの貫通孔３Ａ内に空気が入った状態で繊維素材２にて包まれることとなる。
【００２１】
このため、洗顔用パフ１０の内部には空気を内包した状態となり、洗剤を繊維素材２に含ませてこれを軽く揉むだけで洗顔用パフ１０の貫通孔３Ａ内の空気が洗剤とよく混ざり、泡立ちが極めてよくなる。
【００２２】
図２は本発明の第２実施例を示し、軟質ウレタンフォ−ム芯材１の片面にのみ前記パイル編み繊維素材２を配したものである。貼り合わせは従来の任意の方法によって行われる。この洗顔用パフ１０も、泡立ちを極めて良くする。
【００２３】
図３は本発明の第３実施例を示し、芯材１を二層の軟質ウレタンフォームをもって構成したものである。孔は一層のみでも二層を通して形成しても良い。３Ｂは一層のみに形成した孔であり、３Ｃは二層を通す貫通孔としたものである。この洗顔用パフ１０も、泡立ちを極めて良くする。
【００２４】
図４は本発明の第４実施例を示し、芯材１を二層の軟質ウレタンフォームをもって構成したものである。この例の孔３Ｄは芯材１に内包された状態であり、芯材１の対向する部位に有底の孔３ｄ、３ｄを形成し、これをあわせて内包する孔３Ｄを形成したものである。この洗顔用パフ１０も、泡立ちを極めて良くする。
【００２５】
図５は本発明の第５実施例を示す洗顔用パフの断面図である。この例は、芯材１に比較的大き目の貫通孔３Ａを形成したものであるが、繊維素材２をこの孔３Ａに押し込み、窪み４をもたせ、この中に洗剤を入れることによって洗剤のおおよその分量を量ることができるという利点もある。尚、窪み４は有底の孔３Ｄであっても良い。。
【産業上の利用可能性】
【００２６】
本発明は、洗顔用パフの内部に空気を内包させたことにより、洗剤に対して空気がより混ざりやすくなり、極めて泡立ちの良い洗顔用パフとなったもので、老若男女を問わず極めて使いやすいパフとなったものであり、その実用的価値は高い。
【符号の説明】
【００２７】
１‥芯材、
２‥繊維素材、
３Ａ、３Ｂ、３Ｃ、３Ｄ‥孔、
４‥窪み
１０‥洗顔用パフ。
【図１】
2012090781.tif 000003
【図２】
2012090781.tif 000004
【図３】
2012090781.tif 000005
【図４】
2012090781.tif 000006
【図５】
2012090781.tif 000007